(57)【要約】【課題】写真館及び現像所の双方の画像処理の負担を軽減することができるとともに、各写真館の意向に沿った写真プリントを得ることができるようにする。【解決手段】写真館１００での撮影時の撮影条件と、その撮影条件下でのＲＡＷ形式の画像データとを現像所２００が受け取り、現像所２００の画像処理装置２１０によってＲＡＷ形式の画像データに対して適宜の画像処理条件にしたがった画像処理を含む現像処理を行う。この現像処理済みの画像データをデジタルプリンタ２２０に出力することにより写真プリントを作成し、その写真プリントが写真館１００の好みの色特性及び階調特性をもっているかどうかを検定する。そして、画像処理条件を変えながら現像処理を行うことで、写真館１００の好みに合った画像処理条件を撮影条件毎に求める。この撮影条件毎の画像処理条件による現像処理機能を写真館１００のデジタルカメラ１０に組み込み、該デジタルカメラ１０での撮影時の撮影条件によりその写真館１００の好みに合った現像処理済みの画像データをデジタルカメラ１０から直接得られるようにする。【選択図】          図１
2005033255.tif 000002
【特許請求の範囲】
【請求項１】
写真撮影所のデジタルカメラで被写体を撮影する際の写真撮影所における撮影条件と、該撮影条件下で撮影された画像処理前のＣＣＤ−ＲＡＷデータとを取り込むステップと、
前記ＣＣＤ−ＲＡＷデータに対して画像処理条件にしたがった画像処理を含む現像処理を行い、処理済みの画像データを生成するステップと、
前記処理済みの画像データに基づく出力画像が写真撮影所の意向に沿った色特性及び階調特性をもつための前記現像処理における画像処理条件を求め、該画像処理条件を前記ＣＣＤ−ＲＡＷデータとともに取り込んだ撮影条件に関連付けて保存するステップと、
を含むことを特徴とするデジタル画像の画像処理方法。
【請求項２】
各写真撮影所のデジタルカメラで被写体を撮影する際の写真撮影所における撮影条件と、該撮影条件下で撮影された画像処理前のＣＣＤ−ＲＡＷデータを取り込むステップと、
前記ＣＣＤ−ＲＡＷデータに対して画像処理条件にしたがった画像処理を含む現像処理を行い、処理済みの画像データを生成するステップと、
前記処理済みの画像データをデジタルプリンタに出力して写真プリントを作成するステップと、
前記作成された写真プリントが写真撮影所の意向に沿った色特性及び階調特性をもつための前記現像処理における画像処理条件を求め、該画像処理条件を各写真撮影所及び前記ＣＣＤ−ＲＡＷデータとともに取り込んだ撮影条件に関連付けて保存するステップと、
を含むことを特徴とするデジタル画像の画像処理方法。
【請求項３】
前記デジタルカメラに前記画像処理条件を登録するステップと、
この登録された画像処理条件を用いてデジタルカメラ内でＪＰＥＧ画像を生成するステップと、
をさらに含むことを特徴とする請求項１又は２に記載のデジタル画像の画像処理方法。
【請求項４】
各写真撮影所の専用のデジタルカメラであって、
ＣＣＤ−ＲＡＷデータを出力する撮像手段と、
写真撮影所での撮影条件を検出又は設定する手段と、
請求項１又は２に記載のデジタル画像の画像処理方法によって求められた写真撮影所の撮影条件別の画像処理条件を記憶する記憶手段と、
撮影時に前記検出又は設定した撮影条件に基づいて前記記憶手段から対応する画像処理条件を読み出し、前記撮像手段から出力されるＣＣＤ−ＲＡＷデータに対して前記読み出した画像処理条件にしたがった画像処理を含む現像処理を行い、処理済みの画像データを生成する現像処理手段と、
を備えたことを特徴とするデジタルカメラ。
【請求項５】
前記撮影手段から出力されるＣＣＤ−ＲＡＷデータと、前記現像処理手段によって生成された処理済みの画像データとを記録メディアに記録する記録手段を有することを特徴とする請求項３に記載のデジタルカメラ。
【請求項６】
各写真撮影所から処理済みの画像データを現像所に送り、該現像所は前記処理済みの画像データに基づいて写真プリントを作成するプリントシステムにおいて、
各写真撮影所は、請求項４又は５に記載のデジタルカメラから得られる処理済みの画像データに対して適正なプリントを行うための画像処理を施す画像処理手段を有し、
前記現像所は、前記画像処理手段によって画像処理が施された画像データをそのまま入力し、予め指定されたプリントサイズのプリント紙に前記画像データに対応する画像をプリントするデジタルプリンタを有することを特徴とするプリントシステム。
【請求項７】
各写真撮影所から処理済みの画像データを現像所に送り、該現像所は前記処理済みの画像データに基づいて写真プリントを作成するプリントシステムにおいて、
各写真撮影所は、ＣＣＤ−ＲＡＷデータを出力するデジタルカメラと、前記デジタルカメラによる撮影時の写真撮影所での撮影条件を検出又は設定する手段と、請求項１又は２に記載のデジタル画像の画像処理方法によって求められた写真撮影所の撮影条件別の画像処理条件を記憶する記憶手段と、撮影時に前記検出又は設定した撮影条件に基づいて前記記憶手段から対応する画像処理条件を読み出し、前記デジタルカメラから出力されるＣＣＤ−ＲＡＷデータに対して前記読み出した画像処理条件にしたがった画像処理を含む現像処理を行い、処理済みの画像データを生成する現像処理手段と、前記現像処理手段によって生成された処理済みの画像データに対して適正なプリントを行うための画像処理を施すための画像処理手段とを有し、
前記現像所は、前記画像処理手段によって画像処理が施された画像データをそのまま入力し、予め指定されたプリントサイズのプリント紙に前記画像データに対応する画像をプリントするデジタルプリンタを有することを特徴とするプリントシステム。
【請求項８】
前記写真撮影所は、前記デジタルカメラから得られるＣＣＤ−ＲＡＷデータをバックアップするバックアップ手段を有することを特徴とする請求項６又は７に記載のプリントシステム。
【発明の詳細な説明】
【０００１】
【発明の属する技術分野】
本発明はデジタル画像の画像処理方法、デジタルカメラ及びプリントシステムに係り、特に写真館や撮影スタジオ等の写真撮影所及び現像所（ラボ）での画像処理作業や画像処理負荷を軽減するための技術に関する。
【０００２】
【従来の技術】
近年、写真館や撮影スタジオ等の写真撮影所ではデジタルカメラを使用してデジタル撮影を行い、その後、写真プリントを受け付けたデジタル画像に対して色補正、階調補正、トリミング処理、画像合成（テンプレート合成）等の画像処理を行い、この画像処理済みのデジタル画像（例えば、ＪＰＥＧ（Ｊｏｉｎｔ  Ｐｈｏｔｏｇｒａｐｈｉｃ  Ｅｘｐｅｒｔｓ  Ｇｒｏｕｐ）形式の画像ファイル）とともに、プリント枚数、プリントサイズ等の注文情報をメディアに記録し、これを現像所に送り、一方、現像所では、写真館等から受け取ったデジタル画像をユーザの注文情報にしたがってデジタルプリンタによりデジタルプリントを行い、このデジタルプリントした写真プリントを写真館に引き渡すようにしている。
【０００３】
また、従来、写真プリントに対する様々な要求性能を好適に満たし、プリント業者における写真プリントの使用状況やプリント作成者の意向に沿った好適なプリント作成を可能にした画像処理装置が提案されている（特許文献１）。
【０００４】
この画像処理装置は、画像データを解析して画像データに施す画像処理条件を設定する条件設定部と、条件設定部が設定した画像処理条件に応じて画像処理を行う画像処理部と、作業目的に応じた複数の動作モードを備え、条件設定部における処理及び画像処理部で施す画像処理の少なくとも一方を、動作モードに応じて切り換える切換手段と、動作モードの選択手段とを有し、生産性、画質、１ロールのフイルムの画質の均一性等の写真プリントに対する様々な要求に応じた動作モードのうちから好適な動作モードを選択することで、要求性能に応じた写真プリントの作成を可能にしている。デジタルカメラで行う画像処理では、独自にＡＥ、ＡＷＢ、色空間指定にて階調／彩度設定が行われ画像が生成される。
【０００５】
【特許文献１】
特開２００１−２１８０４７号公報
【０００６】
【発明が解決しようとする課題】
ところで、写真館では、写真館内の画像処理装置を使用してモニタ検定等を行いながらデジタルカメラで得られた画像に対して、さらに色補正、階調補正等の画像処理を行っているが、この種の画像処理の作業は煩雑であるという問題がある。
【０００７】
一方、写真館から受け取った画像処理済みのデジタル画像をそのまま現像所のデジタルプリンタでプリントした写真プリントの仕上がりイメージは、モニタ検定されたものと必ずしも一致せず、写真館の意向に沿った写真プリント（写真館の好みの写真プリント）が得られない場合がある。そのため、現像所では、デジタルプリンタでプリントする前に現像所の画像処理装置を使用して写真館から受け取った画像処理済みのデジタル画像に対して更に色補正、階調補正等の画像処理を施すことが要求される場合がある。
【０００８】
一般に、写真プリントの仕上がりの色調や階調は、写真館ごとに好みが異なり、通常、現像所では事前にサンプル画像等を画像処理条件を変えて複数枚試し刷し、写真館の意向を受けて写真館の好みに合った色補正、階調補正等の画像処理条件を求めておき、写真館からデジタル画像に基づくプリント注文を受け付けると、その写真館の好みに合った画像処理条件にしたがってデジタル画像を画像処理し、その後、デジタルプリンタによりデジタルプリントを行っている。そのため、写真館毎に画像処理条件を変えてデジタル画像を画像処理しなければならず、煩雑であるという問題がある。
【０００９】
また、デジタルカメラが生成する画像は、カメラ固有の仕上がり特性を持ち、これを好みの画像に補正するにも、ネガ画像に比べてラチチュードが狭く、色補正、階調補正等を適正に補正できる範囲が制約され、特に画像処理済みのデジタル画像の場合は補正範囲が狭いという問題がある。
【００１０】
一方、デジタルカメラの撮像素子（ＣＣＤ）のＲ，Ｇ，Ｂのカラーフィルタ配列のままの未処理のデータ（ＣＣＤ−ＲＡＷデータ）を出力することができるデジタルカメラがある。このＣＣＤ−ＲＡＷデータは、通常、そのデジタルカメラ専用の画像処理ソフトが組み込まれているパーソナルコンピュータ等を使用してモニタやハードコピーにより可視化可能な画像データに変換する処理（現像処理）が行われるが、このＣＣＤ−ＲＡＷデータは、現像処理後の画像データに比べてラチチュードが広く、加工性に優れているという利点がある。
【００１１】
従って、写真館からＣＣＤ−ＲＡＷデータを現像所に送り、現像所により現像処理と同時に色補正、階調補正等の補正を行うことが好ましいが、この現像処理は重い処理であり、また、カメラメーカ及びカメラの種類毎に現像処理のソフトが異なり、現像所の負荷が大きくなるという問題がある。
【００１２】
本発明はこのような事情に鑑みてなされたもので、写真館や撮影スタジオ等の写真撮影所及び現像所の双方の画像処理の負担を軽減することができるとともに、各写真撮影所の意向に沿った色特性及び階調特性をもった画像データや写真プリントを取得することができるデジタル画像の画像処理方法、デジタルカメラ及びプリントシステムを提供することを目的とする。
【００１３】
【課題を解決するための手段】
前記目的を達成するために請求項１に係るデジタル画像の画像処理方法は、写真撮影所のデジタルカメラで被写体を撮影する際の写真撮影所における撮影条件と、該撮影条件下で撮影された画像処理前のＣＣＤ−ＲＡＷデータとを取り込むステップと、前記ＣＣＤ−ＲＡＷデータに対して画像処理条件にしたがった画像処理を含む現像処理を行い、処理済みの画像データを生成するステップと、前記処理済みの画像データに基づく出力画像が写真撮影所の意向に沿った色特性及び階調特性をもつための前記現像処理における画像処理条件を求め、該画像処理条件を前記ＣＣＤ−ＲＡＷデータとともに取り込んだ撮影条件に関連付けて保存するステップと、を含むことを特徴としている。
【００１４】
即ち、写真撮影所でのデジタル撮影時の撮影条件（照明の明るさや色温度など）と、その撮影条件下でのＣＣＤ−ＲＡＷデータとを取り込む。この撮影条件は、ＣＣＤ−ＲＡＷデータのファイルのタグに書き込むようにしてもよい。続いて、前記ＣＣＤ−ＲＡＷデータに対して適宜の画像処理条件にしたがった画像処理を含む現像処理を行い、処理済みの画像データを生成し、この処理済みの画像データに基づく出力画像（写真プリントやモニタ画像）が写真撮影所の意向に沿った色特性及び階調特性をもっているかどうかを検定する。そして、上記画像処理条件を変えながら現像処理を行うことで、最適な（写真撮影所の好みに合った）画像処理条件を求め、この画像処理条件をそのときの撮影条件に関連付けて保存するようにしている。従って、写真撮影所でのデジタル撮影時の撮影条件が決定されると、その写真撮影所の好みに合った出力画像を得るための画像処理条件も決定することができる。
【００１５】
請求項２に係るデジタル画像の画像処理方法は、各写真撮影所のデジタルカメラで被写体を撮影する際の写真撮影所における撮影条件と、該撮影条件下で撮影された画像処理前のＣＣＤ−ＲＡＷデータを取り込むステップと、前記ＣＣＤ−ＲＡＷデータに対して画像処理条件にしたがった画像処理を含む現像処理を行い、処理済みの画像データを生成するステップと、前記処理済みの画像データをデジタルプリンタに出力して写真プリントを作成するステップと、前記作成された写真プリントが写真撮影所の意向に沿った色特性及び階調特性をもつための前記現像処理における画像処理条件を求め、該画像処理条件を各写真撮影所及び前記ＣＣＤ−ＲＡＷデータとともに取り込んだ撮影条件に関連付けて保存するステップと、を含むことを特徴としている。
【００１６】
請求項２に係る発明は、請求項１に係る発明と同様にＣＣＤ−ＲＡＷデータに対する画像処理条件を求め、この画像処理条件をＣＣＤ−ＲＡＷデータとともに取り込んだ撮影条件に関連付けて保存するが、前記各ステップは、各写真撮影所からＣＣＤ−ＲＡＷデータ及び撮影条件を受け取る現像所にて行われ、前記撮影条件毎の画像処理条件は、各写真撮影所ごとに求められ保存される。このようにして保存された画像処理条件は、各写真撮影所又は現像所での現像処理時に利用することができる。
【００１７】
請求項３に示すように、請求項１又は２に記載のデジタル画像の画像処理方法において、前記デジタルカメラに前記画像処理条件を登録するステップと、この登録された画像処理条件を用いてデジタルカメラ内でＪＰＥＧ画像を生成するステップと、をさらに含むことを特徴としている。
【００１８】
請求項３に係る発明は、請求項１又は２に記載のデジタル画像の画像処理方法で求めた画像処理条件をデジタルカメラに登録し、次回からの撮影にてデジタルカメラ内で行う現像処理に反映することにより、直接ＪＰＥＧなどの画像ファイルを生成して目的の仕上がりを得ることができる。
【００１９】
請求項４に係る発明は、各写真撮影所の専用のデジタルカメラであって、ＣＣＤ−ＲＡＷデータを出力する撮像手段と、写真撮影所での撮影条件を検出又は設定する手段と、請求項１又は２に記載のデジタル画像の画像処理方法によって求められた写真撮影所の撮影条件別の画像処理条件を記憶する記憶手段と、撮影時に前記検出又は設定した撮影条件に基づいて前記記憶手段から対応する画像処理条件を読み出し、前記撮像手段から出力されるＣＣＤ−ＲＡＷデータに対して前記読み出した画像処理条件にしたがった画像処理を含む現像処理を行い、処理済みの画像データを生成する現像処理手段と、を備えたことを特徴としている。
【００２０】
このデジタルカメラは、デジタル撮影時の撮影条件に基づいて記憶手段から画像処理条件を読み出し、その撮影時のＣＣＤ−ＲＡＷデータに対して前記読み出した画像処理条件にしたがった画像処理を含む現像処理を行うため、写真撮影所の好みに合った画像処理済みの画像データを生成することができる。
【００２１】
請求項５に示すように請求項４に記載のデジタルカメラにおいて、前記撮影手段から出力されるＣＣＤ−ＲＡＷデータと、前記現像処理手段によって生成された処理済みの画像データとを記録メディアに記録する記録手段を有することを特徴としている。ＣＣＤ−ＲＡＷデータは、現像処理後の画像データに比べてラチチュードが広く加工性に優れているため、万一、現像処理後の画像データでは適正な補正ができない場合には、ＣＣＤ−ＲＡＷデータを使用することで、撮影のやり直し等を防止することができる。
【００２２】
請求項６に係る発明は、各写真撮影所から処理済みの画像データを現像所に送り、該現像所は前記処理済みの画像データに基づいて写真プリントを作成するプリントシステムにおいて、各写真撮影所は、請求項４又は５に記載のデジタルカメラから得られる処理済みの画像データに対して適正なプリントを行うための画像処理を施す画像処理手段とを有し、前記現像所は、前記画像処理手段によって画像処理が施された画像データをそのまま入力し、予め指定されたプリントサイズのプリント紙に前記画像データに対応する画像をプリントするデジタルプリンタを有することを特徴としている。
【００２３】
即ち、請求項４又は５に記載のデジタルカメラからは、写真撮影所の好みに合った画像処理済みの画像データが得られるため、写真撮影所では、画像処理済みの画像データに対する色補正や階調補正が不要となり、トリミング処理、画像合成（テンプレート合成）、赤目処理等の加工処理だけで済む。尚、写真撮影所では、色補正や階調補正も可能であるが、現像処理の段階で写真撮影所の好みに合うように画像処理されているため、その補正量が少なくて済み、適正に補正することができる。一方、現像所では、現像処理や画像処理等が不要であり、各写真撮影所から受け取った画像処理済みの画像データをそのままデジタルプリンタで利用することができ、現像所の負荷が軽減される。
【００２４】
請求項７に係る発明は、各写真撮影所から処理済みの画像データを現像所に送り、該現像所は前記処理済みの画像データに基づいて写真プリントを作成するプリントシステムにおいて、各写真撮影所は、ＣＣＤ−ＲＡＷデータを出力するデジタルカメラと、前記デジタルカメラによる撮影時の写真撮影所での撮影条件を検出又は設定する手段と、請求項１又は２に記載のデジタル画像の画像処理方法によって求められた写真撮影所の撮影条件別の画像処理条件を記憶する記憶手段と、撮影時に前記検出又は設定した撮影条件に基づいて前記記憶手段から対応する画像処理条件を読み出し、前記デジタルカメラから出力されるＣＣＤ−ＲＡＷデータに対して前記読み出した画像処理条件にしたがった画像処理を含む現像処理を行い、処理済みの画像データを生成する現像処理手段と、前記現像処理手段によって生成された処理済みの画像データに対して適正なプリントを行うための画像処理を施すための画像処理手段とを有し、前記現像所は、前記画像処理手段によって画像処理が施された画像データをそのまま入力し、予め指定されたプリントサイズのプリント紙に前記画像データに対応する画像をプリントするデジタルプリンタを有することを特徴としている。
【００２５】
請求項６に係る発明はデジタルカメラ内に現像処理手段が設けられており、デジタルカメラから現像処理済みの画像データが得られるが、請求項７に係る発明では前記現像処理手段がデジタルカメラとは分離して写真撮影所内に設けられており、デジタルカメラから出力されるＣＣＤ−ＲＡＷデータは、写真撮影所内の現像処理手段によって撮影条件に対応した画像処理条件にしたがった画像処理を含む現像処理が行われる。
【００２６】
請求項８に示すように請求項６又は７に記載のプリントシステムにおいて、前記写真撮影所は、前記デジタルカメラから得られるＣＣＤ−ＲＡＷデータをバックアップするバックアップ手段を有することを特徴としている。これにより、現像処理後の画像データでは求めた仕上がりが得られず適正な補正ができない場合には、バックアップ手段でバックアップしたＣＣＤ−ＲＡＷデータを使用することができる。
【００２７】
【発明の実施の形態】
以下添付図面に従って本発明に係るデジタル画像の画像処理方法、デジタルカメラ及びプリントシステムの好ましい実施の形態について詳説する。
【００２８】
図１は本発明に係るデジタル画像の画像処理方法を説明するためのシステム構成図である。
【００２９】
図１において、１００は写真館、２００は写真プリントを作成する現像所である。写真館１００には、ユーザをデジタル撮影するためのデジタルカメラ１０や、照明装置７０等が設けられている。
【００３０】
デジタルカメラ１０は、デジタルカメラ１０の撮像素子（ＣＣＤ）のＲ，Ｇ，Ｂのカラーフィルタ配列のままの未処理の画像データ（以下、「ＣＣＤ−ＲＡＷデータ」という）を出力することができるものである。また、デジタルカメラ１０は、デジタル撮影時に使用される照明装置７０の明るさ及び色温度、又は照明装置７０によって照明される被写体の明るさ及び色温度を自動検出する機能、又は照明光の明るさ及び色温度を手動で設定するための設定手段を有している。尚、このデジタルカメラ１０の詳細な構成については後述する。
【００３１】
次に、本発明に係る画像処理条件を求めるためのサンプル画像等を取得する場合について説明する。
【００３２】
この場合、写真館１００では、デジタルカメラ１０を使用して照明装置７０の照明下で撮影を行い、デジタルカメラ１０からＣＣＤ−ＲＡＷデータを取得するとともに、その撮影時の被写体の明るさ及び色温度を示す撮影条件を取得する。そして、照明装置７０の照明の角度や光量、色温度を変え又は異なる照明機器を使用し、撮影条件が異なる種々の撮影を行い、各撮影毎にＣＣＤ−ＲＡＷデータとともに撮影条件を取得する。
【００３３】
このようにして取得したＣＣＤ−ＲＡＷデータと撮影条件とをネットワークを介して、又はデジタルカメラでＣＣＤ−ＲＡＷデータの記録に使用した記録メディア、ＭＯ、ＣＤ−Ｒ等のメディアを介して現像所２００に送る。尚、ＣＣＤ−ＲＡＷデータと撮影条件とはファイル名等で関連付けて別々に送ってもよいし、ＣＣＤ−ＲＡＷデータが記録されたファイルのタグに撮影条件を記録するようにしてもよい。
【００３４】
現像所２００には、画像処理装置２１０及びデジタルプリンタ２２０が設置されている。画像処理装置２１０は、写真館１００からデジタルメディア等を介して受け取ったＣＣＤ−ＲＡＷデータを、モニタやハードコピーにより可視化可能な画像データに変換する処理や、色補正及び階調補正等の適宜の画像処理条件にしたがった画像処理（以下、この処理を「現像処理」という）を行う。
【００３５】
尚、デジタルカメラは、カメラメーカやカメラ機種によってその撮像素子の画素数、画素配列、カラーフィルタの配列、分光特性等が異なり、その結果、ＣＣＤ−ＲＡＷデータの現像処理もカメラ毎に異なる。画像処理装置２１０は、カメラ機種に応じた複数の現像処理ソフトを有しており、現像処理しようとするＣＣＤ−ＲＡＷデータを作成したカメラ機種に対応する現像処理ソフトを使用する。カメラ機種は、ＣＣＤ−ＲＡＷデータのファイルのタグに記録されているため、このタグの情報を使用して現像処理ソフトを選択することができる。
【００３６】
このようにして現像処理された画像データは、デジタルプリンタ２２０に出力される。
【００３７】
デジタルプリンタ２２０は、前記画像処理装置２１０から入力した現像処理済みの画像データに基づいて銀塩方式のカラーペーパーにＲ，Ｇ，Ｂレーザーで走査露光して画像をプリントする。現像所２００にて作成された写真プリント（プルーフ）は、写真館１００の検定者によってプルーフの色特性や階調特性等が好みの特性になっているかどうかが検定される。そして、写真館の好みの特性になっていない場合には、写真館１００の検定者からの指示（例えば、もう少し赤っぽくとか、軟調気味等の指示）にしたがって前記画像処理装置２１０の現像処理時における画像処理条件を修正してプルーフを作成する。これを繰り返すことで、現像所２００は、写真館１００の検定者が満足する写真プリントを作成するための画像処理条件を求めることができる。
【００３８】
現像所２００は、上記画像処理条件を各写真館毎にかつ撮影条件毎に求め、これをデータベース等で保存管理する。
【００３９】
図２は写真館１００の撮影条件Ａ，Ｂ，…毎の画像処理条件を示すデータベースの一例を示している。同図に示すように、写真館１００の撮影条件Ａでの撮影時に取得されたＣＣＤ−ＲＡＷデータに対しては、明るさ補正値を＋１、コントラスト補正値を−１、Ｒ，Ｇ，Ｂデータ毎のホワイトバランス補正値を（１，０，−１）、色相補正値を＋１、彩度補正値を−１、シャープネス（輪郭強調）をノーマルとする画像処理条件にしたがった画像処理を含む現像処理を行い、その現像処理後の画像データをデジタルプリンタ２２０に出力することで、写真館１００の好みの写真プリントを得ることができる。
【００４０】
尚、この実施の形態では、現像所２００は、前記画像処理条件を求めるために写真館１００からサンプル画像を受け取るようにしているが、実際にプリント注文されたＣＣＤ−ＲＡＷデータでもよい。この場合でもＣＣＤ−ＲＡＷデータとその撮影条件とを受け取り、写真館１００が満足する写真プリントの作成時の画像処理条件を撮影条件毎に蓄積していくことで、写真館１００用の画像処理条件を求めることができる。
【００４１】
また、画像処理条件の種類や補正値等は、図２に示したものに限らず、各デジタルカメラのＣＣＤ−ＲＡＷデータを現像処理するソフトウエアで対応可能な種類や補正値にする必要がある。例えば、トーンカーブ、ガンマ特性、ニー特性等を指定することができる場合には、これらを画像処理条件として指定する。
【００４２】
上記のようにして画像処理条件を各写真館毎にかつ撮影条件毎に求め、これをデータベース等で保存管理することにより、現像所２００は、各写真館からＣＣＤ−ＲＡＷデータと撮影条件とをプリント受付時に受け取った場合、その受け取ったＣＣＤ−ＲＡＷデータに対して適切な画像処理条件にしたがった画像処理を含む現像処理を行うことができ、各写真館の好みに合った写真プリントを作成することができる。
【００４３】
一方、ＣＣＤ−ＲＡＷデータの現像処理は負荷が大きく、現像所２００でのプリントが混み合っている場合には、現像処理のためにプリント作成が遅れるという問題があり、現像所２００は、各写真館から現像処理済みの画像データが記録された画像ファイル（例えば、ＪＰＥＧ形式の画像ファイル）で受け付けるのが好ましい。そのため、各写真館ごと、撮影条件ごとの画像処理条件を各デジタルカメラに登録し、カメラ内で行う画像処理に反映させることで直接ＪＰＥＧなどの画像ファイルを生成して目的の仕上がりを得ることができる。
【００４４】
次に、現像所２００で各写真館の好みに合った写真プリントの作成が可能な現像処理済みの画像データを出力することができるデジタルカメラ１０について説明する。
【００４５】
図３は本発明に係るデジタルカメラ１０の実施の形態を示すブロック図である。
【００４６】
このデジタルカメラ１０の全体の動作は中央処理装置（ＣＰＵ）１２によって統括制御される。  ＣＰＵ１２は、所定のプログラムに従って本カメラシステムを制御する制御手段として機能するとともに、自動露出（ＡＥ）演算、自動焦点調節（ＡＦ）演算、ホワイトバランス（ＷＢ）調整演算など、各種演算を実施する演算手段として機能する。
【００４７】
バス１４を介してＣＰＵ１２と接続されたＲＯＭ１６には、ＣＰＵ１２が実行するプログラム及び制御に必要な各種データ等が格納され、ＥＥＰＲＯＭ１７には、ＣＣＤ画素欠陥情報、カメラ動作に関する各種定数／情報、及び本発明に係る撮影条件に応じた画像処理条件等が格納されている。
【００４８】
ここで、撮影条件に応じた画像処理条件は、図２に示したように現像所２００にて作成された写真館１００用の画像処理条件であり、現像所２００から記録メディア３２等を介して受け取ることができる。このようにして受け取った写真館１００用の画像処理条件は、ＥＥＰＲＯＭ１７に画像処理条件を書き込むための隠しモード等を利用してＥＥＰＲＯＭ１７に書き込まれる。尚、ＥＥＰＲＯＭ１７に画像処理条件を書き込む方法はこの実施の形態に限らない。
【００４９】
また、メモリ（ＳＤＲＡＭ）１８は、プログラムの展開領域及びＣＰＵ１２の演算作業用領域として利用されるとともに、画像データの一時記憶領域として利用される。ＶＲＡＭ２０は画像データ専用の一時記憶メモリであり、Ａ領域２０ＡとＢ領域２０Ｂが含まれている。メモリ１８とＶＲＡＭ２０は共用することが可能である。
【００５０】
デジタルカメラ１０にはモード選択スイッチ２２、撮影ボタン２４、その他、メニュー／ＯＫキー、十字キー、キャンセルキーなどの操作手段２６が設けられている。これら各種の操作部（２２〜２６）からの信号はＣＰＵ１２に入力され、ＣＰＵ１２は入力信号に基づいてデジタルカメラ１０の各回路を制御し、例えば、レンズ駆動制御、撮影動作制御、画像処理制御、画像データの記録／再生制御、画像表示装置２８の表示制御などを行う。
【００５１】
モード選択スイッチ２２は、撮影モードと再生モードとを切り換えるための操作手段である。モード選択スイッチ２２を操作して可動接片２２Ａを接点ａに接続させると、その信号がＣＰＵ１２に入力され、デジタルカメラ１０は撮影モードに設定され、可動接片２２Ａを接点ｂに接続させると、デジタルカメラ１０は記録済みの画像を再生する再生モードに設定される。
【００５２】
撮影ボタン２４は、撮影開始の指示を入力する操作ボタンであり、半押し時にＯＮするＳ１スイッチと、全押し時にＯＮするＳ２スイッチとを有する二段ストローク式のスイッチで構成されている。
【００５３】
メニュー／ＯＫキーは、画像表示装置２８の画面上にメニューを表示させる指令を行うためのメニューボタンとしての機能と、選択内容の確定及び実行などを指令するＯＫボタンとしての機能とを兼備した操作キーである。十字キーは、上下左右の４方向の指示を入力する操作部であり、メニュー画面から項目を選択したり、各メニューから各種設定項目の選択を指示したりするボタン（カーソル移動操作手段）として機能する。また、十字キーの上／下キーは撮影時のズームスイッチあるいは再生時の再生ズームスイッチとして機能し、左／右キーは再生モード時のコマ送り（順方向／逆方向送り）ボタンとして機能する。キャンセルキーは、選択項目など所望の対象の消去や指示内容の取消し、あるいは１つ前の操作状態に戻らせる時などに使用される。
【００５４】
画像表示装置２８は、カラー表示可能な液晶ディスプレイで構成されている。画像表示装置２８は、撮影時に画角確認用の電子ファインダとして使用できるとともに、記録済み画像を再生表示する手段として利用される。また、画像表示装置２８は、ユーザインターフェース用表示画面としても利用され、必要に応じてメニュー情報や選択項目、設定内容などの情報が表示される。
【００５５】
デジタルカメラ１０は、メディアソケット（メディア装着部）３０を有し、メディアソケット３０には記録メディア３２を装着することができる。記録メディアの形態は特に限定されず、ｘＤ−ＰｉｃｔｕｒｅＣａｒｄ（商標）、スマートメディア（商標）に代表される半導体メモリカード、可搬型小型ハードディスク、磁気ディスク、光ディスク、光磁気ディスクなど、種々の媒体を用いることができる。
【００５６】
メディアコントローラ３４は、メディアソケット３０に装着される記録メディア３２に適した入出力信号の受渡しを行うために所要の信号変換を行う。
【００５７】
また、デジタルカメラ１０はパソコンその他の外部機器と接続するための通信手段としてＵＳＢインターフェース部３６を備えている。図示せぬＵＳＢケーブルを用いてデジタルカメラ１０と外部機器を接続することにより、外部機器との間でデータの受渡しが可能となる。ＵＳＢインターフェース部３６は、その他のＩ／Ｆ（ＳＣＳＩ、ＩＥＥＥ１３９４、無線ＬＡＮなど）であっても構わない。
【００５８】
次に、デジタルカメラ１０の撮影機能について説明する。
【００５９】
モード選択スイッチ２２によって撮影モードが選択されると、カラーＣＣＤ固体撮像素子（以下ＣＣＤと記載）３８を含む撮像部に電源が供給され、撮影可能な状態になる。
【００６０】
レンズユニット４０は、フォーカスレンズを含む撮影レンズ４２と絞り兼用メカシャッター４４とを含む光学ユニットである。レンズユニット４０は、ＣＰＵ１２によって制御されるレンズ駆動部４６、絞り駆動部４８によって電動駆動され、ズーム制御、フォーカス制御及びアイリス制御が行われる。
【００６１】
撮影ボタン２４が半押しされると、デジタルカメラ１０はＡＥ及びＡＦ処理を開始する。
【００６２】
即ち、レンズユニット４０を通過した光は、ＣＣＤ３８の受光面に結像される。ＣＣＤ３８の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ３８は、各フォトダイオードの電荷蓄積時間（シャッタースピード）を制御する電子シャッター機能を有している。ＣＰＵ１２は、タイミングジェネレータ５０を介してＣＣＤ３８での電荷蓄積時間を制御する。
【００６３】
ＣＣＤ３８の受光面に結像された被写体像は、各フォトダイオードによって入射光量に応じた量の信号電荷に変換される。各フォトダイオードに蓄積された信号電荷は、ＣＰＵ１２の指令に従いタイミングジェネレータ５０から与えられる駆動パルスに基づいて信号電荷に応じた電圧信号（画像信号）として順次読み出される。
【００６４】
ＣＣＤ３８から出力された信号はアナログ処理部（ＣＤＳ／ＡＭＰ）５２に送られ、ここで画素ごとのＲ，Ｇ，Ｂ信号がサンプリングホールド（相関二重サンプリング処理）され、増幅された後、Ａ／Ｄ変換器５４に加えられる。Ａ／Ｄ変換器５４によってデジタル信号に変換された点順次のＲ，Ｇ，Ｂ信号が画像入力コントローラ５６を介してＡＦ検出回路６２並びにＡＥ／ＡＷＢ検出回路６４に入力される。
【００６５】
ＡＥ／ＡＷＢ検出回路６４は、１画面を複数のエリア（例えば、１６×１６）に分割し、分割エリアごとにＲＧＢ信号を積算する回路を含み、その積算値をＣＰＵ１２に提供する。ＣＰＵ１２は、ＡＥ／ＡＷＢ検出回路６４から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ１２はＣＣＤ３８の電子シャッター及びアイリスを制御して適正な露光量を得る。
【００６６】
ＡＥ／ＡＷＢ検出回路６４は、ホワイトバランス調整時には、分割エリアごとにＲＧＢ信号の色別の平均積算値を算出し、Ｒの積算値、Ｂの積算値、Ｇの積算値に基づいて被写体の色温度の検出（又は色温度に対応する光源種の判別）を行う。
【００６７】
また、ＣＰＵ１２は、ＡＥ／ＡＷＢ検出回路６４から得た被写体の明るさ及び色温度を示す撮影条件に基づいてＥＥＰＲＯＭ１７から対応する画像処理条件を読み出し、この読み出した画像処理条件を画像信号処理回路５８における処理条件パラメータ値として設定する。
【００６８】
本デジタルカメラ１０におけるＡＦ制御は、例えば映像信号のＧ信号の高周波成分が極大になるようにフォーカシングレンズ（撮影レンズ４２を構成するレンズ光学系のうちフォーカス調整に寄与する移動レンズ）を移動させるコントラストＡＦが適用される。即ち、ＡＦ検出回路６２は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００６９】
ＡＦ検出回路６２で求めた積算値のデータはＣＰＵ１２に通知される。ＣＰＵ１２は、レンズ駆動部４６を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにレンズ駆動部４６を制御する。
【００７０】
撮影ボタン２４が全押しされると、記録用の撮影動作がスタートし、ＣＣＤ３８からアナログ処理部５２、Ａ／Ｄ変換器５４、画像入力コントローラ５６を介して点順次のＲ，Ｇ，Ｂデータ（ＣＣＤ−ＲＡＷデータ）がメモリ１８に入力される。
【００７１】
画像信号処理回路５８は、メモリ１８に記憶されたＣＣＤ−ＲＡＷデータをＣＰＵ１２の指令、及び前述したように撮影条件に基づいてＥＥＰＲＯＭ１７から読み出された画像処理条件にしたがって処理する。即ち、画像信号処理回路５８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ１２からのコマンドにしたがってメモリ１８を活用しながら前記画像処理条件にしたがった画像処理を含む現像処理を行う。
【００７２】
画像信号処理回路５８で現像処理され、輝度・色差信号生成回路によりＧ，Ｂデータから輝度信号（Ｙ信号）及び色差信号（Ｃｒ，Ｃｂ  信号）に変換されたＹ／Ｃ信号は、メモリ１８に格納される。尚、オリジナルのＣＣＤ−ＲＡＷデータは、メモリ１８に残っている。
【００７３】
メモリ１８に格納されたＹ／Ｃ信号は、圧縮伸張回路６６によってＪＰＥＧのフォーマットに従って圧縮された後、メディアコントローラ３４を介して記録メディア３２に記録される。また、メモリ１８に記憶されているＣＣＤ−ＲＡＷデータもＲＡＷファイルとして同時に記録される。
【００７４】
撮影画像を画像表示装置２８にモニタ出力する場合、ＶＲＡＭ２０から画像データが読み出され、バス１４を介してビデオエンコーダ６０に送られる。ビデオエンコーダ６０は、入力されたＹ／Ｃ信号を表示用の所定方式の信号（例えば、ＮＴＳＣ方式のカラー複合映像信号）に変換して画像表示装置２８に出力する。
【００７５】
即ち、ＣＣＤ３８から出力される画像信号によって、１コマ分の画像を表す画像データがＶＲＡＭ２０のＡ領域２０ＡとＢ領域２０Ｂとで交互に書き換えられる。ＶＲＡＭ２０のＡ領域２０Ａ及びＢ領域２０Ｂのうち、画像データが書き換えられている方の領域以外の領域から、書き込まれている画像データが読み出される。このようにしてＶＲＡＭ２０内の画像データが定期的に書き換えられ、その画像データから生成される映像信号が画像表示装置２８に供給されることにより、撮像中の映像がリアルタイムに画像表示装置２８に表示される。撮影者は、画像表示装置２８に表示される映像（スルームービー画）によって撮影画角を確認できる。
【００７６】
モード選択スイッチ２２により再生モードが選択されると、記録メディア３２に記録されている最終の画像ファイル（最後に記録されたファイル）の圧縮データが読み出される。この読み出された画像圧縮データは、圧縮伸張回路６６を介して非圧縮のＹ／Ｃ信号に伸張され、画像信号処理回路５８及びビデオエンコーダ６０を介して表示用の信号に変換された後、画像表示装置２８に出力される。これにより、当該ファイルの画像内容が画像表示装置２８の画面上に表示される。
【００７７】
静止画の一コマ再生中に、十字キーの右キー又は左キーを操作することによって、再生対象のファイルを切り換えること（順コマ送り／逆コマ送り）ができる。コマ送りされた位置の画像ファイルが記録メディア３２から読み出され、上記と同様にして静止画が画像表示装置２８に再生表示される。
【００７８】
上記構成のデジタルカメラ１０は、写真館の好みの写真プリントを作成するための現像処理済みの画像データ（ＪＰＥＧ形式の画像データ）を得ることができる。
【００７９】
次に、写真館１００での撮影から現像所２００での写真プリントの作成までの処理の流れについて説明する。
【００８０】
図４に示すように、写真館１００には、図３で説明したデジタルカメラ１０と、ディスプレイ８０を含むデジタル画像の再生装置と、ハードディスク装置等の大容量のバックアップ装置８２と、画像処理装置９０と、デジタルプリンタ９２とが設けられている。
【００８１】
デジタルカメラ１０は、上述したように現像処理済みのＪＰＥＧの画像データとＣＣＤ−ＲＡＷデータとを記録メディア３２に記録することができ、撮影終了後に記録メディア３２に記録されたＣＣＤ−ＲＡＷデータは、バックアップ装置８２に格納される。
【００８２】
一方、ＪＰＥＧの画像データ（現像処理済みの画像データ）は、写真プリントする画像をユーザに選択して貰うためのプレゼンテーションに使用される。即ち、現像処理済みの画像データを再生装置によって再生し、ディスプレイ８０上に表示させる。
【００８３】
このプレゼンテーションの実施によりユーザによって選択された画像（プリント注文を受け付けた画像）に対応する現像処理済み（ＣＣＤ−ＲＡＷデータからＪＰＥＧ最適化済み）の画像データは、画像処理装置９０に入力される。
【００８４】
画像処理装置９０は、入力された現像処理済みの画像データに対して適正なプリントを行うための画像処理を施す画像処理手段（画像処理ソフトウエアを含む）や、トリミング範囲、プリントサイズ、プリント枚数等を指定するための操作手段を備えており、操作者は、この画像処理装置９０を操作して現像処理済みの画像データに対してトリミング処理、画像合成（テンプレート合成）、赤目処理、美肌処理、色補正、階調補正等の各種の処理を行うことができる。
【００８５】
尚、画像処理装置９０に入力される現像処理済みの画像データは、写真館１００の好み色特性、階調特性が得られるようにデジタルカメラ１０内で処理済みであるため、画像処理装置９０では、現像処理済みの画像データに対して色補正、階調補正等を行う必要はないが、ここで更に色補正、階調補正等を行ってもよい。また、必要があれば、バックアップされたＣＣＤ−ＲＡＷデータを元に再現像、補正などを行ってもよい。
【００８６】
画像処理装置９０によって処理された画像データは、ＪＰＥＧ形式で記録メディア（例えば、ＭＯ、ＣＤ−Ｒ、メモリカード）に記録され、また、プリント枚数、プリントサイズ等の注文情報も同じ記録メディア又は別の記録メディアに記録され、現像所２００に送られる。
【００８７】
現像所２００では、写真館１００から受け取ったＪＰＥＧ形式の画像データをユーザの注文情報にしたがってデジタルプリンタ２２０によりデジタルプリントを行い、このデジタルプリントした写真プリント２３０を写真館１００に引き渡す。尚、現像所２００のデジタルプリンタ２２０を使用せずに、写真館１００内のデジタルプリンタ９２でプリントする場合もあるが、この場合には、プリンタの特性の違い等により写真館１００の好み色特性、階調特性をもった写真プリントを作成することはできず、画像処理装置９０によって色補正、階調補正等を行う必要がある。
【００８８】
尚、この実施の形態では、撮影ボタン２４の半押し時に取り込んだＲ，Ｇ，Ｂ信号に基づいて被写体の明るさや色温度を示す撮影条件を検出するようにしたが、撮影ボタン２４の全押し時に取り込んだＣＣＤ−ＲＡＷデータに基づいて撮影条件を検出するようにしてもよい。また、デジタルカメラ１０とは別の外部測光手段や色温度検出手段によって撮影条件を測定するようにしてもよい。更に、撮影条件をマニュアルで設定可能なデジタルカメラの場合には、その設定された撮影条件を画像処理等に使用することもできる。
【００８９】
また、この実施の形態では、ＣＣＤ−ＲＡＷデータに対して撮影時の撮影条件に応じた画像処理条件にしたがった画像処理を含む現像処理を、デジタルカメラ１０内で行うようにしたが、デジタルカメラ１０の現像処理の機能を写真館１００内の画像処理装置９０に持たせるようにしてもよい。
【００９０】
【発明の効果】
以上説明したように本発明によれば、写真館や撮影スタジオ等の写真撮影所からＣＣＤ−ＲＡＷデータを現像所が受け取った場合でも、現像所は各写真撮影所毎に撮影条件に応じた画像処理条件をもっているため、ＣＣＤ−ＲＡＷデータに対して撮影条件に対応する画像処理条件にしたがった画像処理を含む現像処理を行うことができ、この現像処理を行った画像データをデジタルプリンタに出力することにより各写真撮影所の意向に沿った色特性及び階調特性をもった写真プリントを作成することができる。
【００９１】
また、本発明に係るデジタルカメラは、写真撮影所の撮影条件別の画像処理条件を記憶する記憶手段を有し、撮影時の撮影条件に応じて前記記憶手段から現像所での写真プリントに適した画像処理条件を読み出し、撮影時のＣＣＤ−ＲＡＷデータに対して前記読み出した画像処理条件にしたがった画像処理を含む現像処理を行うため、写真撮影所の好みに合った画像処理済みの画像データをダイレクトに生成することができる。従って、写真撮影所では、デジタルカメラから得られる画像処理済みの画像データに対する色補正や階調補正が不要となり、トリミング処理、画像合成（テンプレート合成）、赤目処理等の加工処理だけで済み、あるいは色補正や階調補正を行う場合でも現像処理の段階で写真撮影所の好みに合うように画像処理されているため、その補正量が少なくて済み、適正に補正することできる。一方、現像所では、現像処理や画像処理等が不要であり、各写真撮影所から受け取った画像処理済みの画像データをそのままデジタルプリンタで利用することができ、現像所の負荷が軽減される。
【図面の簡単な説明】
【図１】本発明に係るデジタル画像の画像処理方法を説明するためのシステム構成図
【図２】写真館での各撮影条件毎の画像処理条件を示すデータベースの一例を示す図
【図３】本発明に係るデジタルカメラの実施の形態を示すブロック図
【図４】写真館での撮影から現像所での写真プリントの作成までの処理の流れを説明するために用いた図
【符号の説明】
１０…デジタルカメラ、１２…ＣＰＵ、１７…ＥＥＰＲＯＭ、３２…記録メディア、３８…ＣＣＤ、５８…画像信号処理回路、６４…ＡＥ／ＡＷＢ検出回路、７０…照明装置、８２…バックアップ装置、９０、２１０…画像処理装置、１００…写真館、２００…現像所、２２０…デジタルプリンタ
【図１】
2005033255.tif 000003
【図２】
2005033255.tif 000004
【図３】
2005033255.tif 000005
【図４】
2005033255.tif 000006